(57)【要約】【課題】  移動体無線端末を流用することにより新たに発生する費用処理の問題を解消し、ＥＴＣシステム導入へのハードルを低くすることができるＥＴＣシステム、サーバ、移動体無線端末、データ取得方法およびプログラムを提供する。【解決手段】  ＥＴＣ機能を有する携帯電話機２０がネットワーク１００を介して、ユーザコンピュータ１０と、道路事業者サーバ３０と、電話会社サーバ４０と、道路ゲート５０と接続される。【選択図】  図１
2006318088.tif 000002
【特許請求の範囲】
【請求項１】
ネットワークを介して接続されている移動体無線端末と、ユーザコンピュータと、道路ゲートと、サーバと、を含むＥＴＣシステムであって、
前記移動体無線端末がＥＴＣ機能を有することを特徴とするＥＴＣシステム。
【請求項２】
前記移動体無線端末がクレジットカード機能を有し、料金の決済を電話会社側のサーバ経由で行なうことを特徴とする請求項１記載のＥＴＣシステム。
【請求項３】
前記ネットワークは、インターネットであることを特徴とする請求項１または２記載のＥＴＣシステム。
【請求項４】
ＥＴＣ機能およびクレジットカード機能を有する移動体無線端末とネットワークを介して接続され、料金の決済を行なうことを特徴とするサーバ。
【請求項５】
前記ネットワークは、インターネットであることを特徴とする請求項４記載のサーバ。
【請求項６】
ＥＴＣ機能を有することを特徴とする移動体無線端末。
【請求項７】
クレジットカード機能を有し、料金の決済を電話会社側のサーバ経由で行なうことを特徴とする請求項６記載の移動体無線端末。
【請求項８】
インターネットを介して外部と接続されていることを特徴とする請求項６または７記載の移動体無線端末。
【請求項９】
ネットワークを介して接続されている移動体無線端末と、ユーザコンピュータと、道路ゲートと、サーバと、を利用したデータ取得方法であって、
ＥＴＣ機能を有する前記移動体無線端末が前記サーバとデータの送受信を行なうことを特徴とするデータ取得方法。
【請求項１０】
前記移動体無線端末がクレジットカード機能を有し、料金の決済を電話会社側のサーバ経由で行なうことを特徴とする請求項９記載のデータ取得方法。
【請求項１１】
前記ネットワークは、インターネットであることを特徴とする請求項９または１０記載のデータ取得方法。
【請求項１２】
ＥＴＣ機能を有する移動体無線端末に、サーバとデータの送受信を実行させることを特徴とするプログラム。
【請求項１３】
前記移動体無線端末がクレジットカード機能を有し、料金の決済を電話会社側のサーバ経由で行なわせることを特徴とする請求項１２記載のプログラム。
【発明の詳細な説明】
【技術分野】
【０００１】
本発明は、移動体無線端末を利用したＥＴＣシステム、サーバ、移動体無線端末、データ取得方法およびプログラムに関する。
【背景技術】
【０００２】
従来、ＥＴＣ（Electronic Toll Collection Systems）と呼ばれる自動料金収受システムがある。自動車が高速道路等の料金所を通過する際、ゲートと車載コンピュータの間で通信を行ない、自動的に料金の支払いを行なうシステムである。
【０００３】
従前のように、いったん停止する必要はなくなり、ゲートを通過する所要時間が大幅に短縮される。このため、ゲート付近の交通渋滞の緩和や排出ガスの低減といった効果が期待できる。料金所の時間当たりの通行処理能力は従来の4倍強に上がると見込まれているため、職員の人件費など経費削減効果もある。
【０００４】
ここで、携帯電話機との間で無線通信手段により無線通信を行なう車載器と、有料道路の入口、出口において車載器との間でそれぞれ無線通信を行なう路側装置と、有料道路の利用料金の収受のための処理を行なうデータベースサーバ、認証サーバ、課金システム、決済システムからなる処理装置群とを有し、車載器は、携帯電話機を識別するための携帯ＩＤを記憶する記憶手段、携帯ＩＤに基づいて決済処理を行なう携帯電話機を認証する認証手段、認証した携帯電話機の携帯ＩＤを用いて路側装置との間でそれぞれ無線通信する無線通信手段を備え、処理装置群は、路側装置から取得した携帯ＩＤにより識別される携帯電話機１に対し、有料道路の利用料金の課金を行なうことで、一般に広く普及し、手軽に利用できる携帯電話機を利用して、簡単かつ低廉な有料道路料金収受を実現することができる技術が提案されている（例えば、特許文献１参照）。
【特許文献１】特開２００３−２１６９９３号公報
【発明の開示】
【発明が解決しようとする課題】
【０００５】
しかしながら、上述した従来例においては次のような問題点があった。
【０００６】
ＥＴＣシステムの普及は、飛躍的に進行しなかった。その原因として、ＥＴＣ専用車載機の購入やクレジット会社との契約がある。
【０００７】
そこで、本発明は、移動体無線端末を流用することにより新たに発生する費用処理の問題を解消し、ＥＴＣシステム導入へのハードルを低くすることができるＥＴＣシステム、サーバ、移動体無線端末、データ取得方法およびプログラムを提供することを目的とする。
【課題を解決するための手段】
【０００８】
請求項１記載の発明は、ネットワークを介して接続されている移動体無線端末と、ユーザコンピュータと、道路ゲートと、サーバと、を含むＥＴＣシステムであって、移動体無線端末がＥＴＣ機能を有することを特徴とするＥＴＣシステムである。
【０００９】
請求項２記載の発明は、請求項１記載のＥＴＣシステムにおいて、移動体無線端末がクレジットカード機能を有し、料金の決済を電話会社側のサーバ経由で行なうことを特徴とする。
【００１０】
請求項３記載の発明は、請求項１または２記載のＥＴＣシステムにおいて、ネットワークは、インターネットであることを特徴とする。
【００１１】
請求項４記載の発明は、ＥＴＣ機能およびクレジットカード機能を有する移動体無線端末とネットワークを介して接続され、料金の決済を行なうことを特徴とするサーバである。
【００１２】
請求項５記載の発明は、請求項４記載のサーバにおいて、ネットワークは、インターネットであることを特徴とする。
【００１３】
請求項６記載の発明は、ＥＴＣ機能を有することを特徴とする移動体無線端末である。
【００１４】
請求項７記載の発明は、請求項６記載の移動体無線端末において、クレジットカード機能を有し、料金の決済を電話会社側のサーバ経由で行なうことを特徴とする。
【００１５】
請求項８記載の発明は、請求項６または７記載の移動体無線端末において、インターネットを介して外部と接続されていることを特徴とする。
【００１６】
請求項９記載の発明は、ネットワークを介して接続されている移動体無線端末と、ユーザコンピュータと、道路ゲートと、サーバと、を利用したデータ取得方法であって、ＥＴＣ機能を有する移動体無線端末がサーバとデータの送受信を行なうことを特徴とするデータ取得方法である。
【００１７】
請求項１０記載の発明は、請求項９記載のデータ取得方法において、移動体無線端末がクレジットカード機能を有し、料金の決済を電話会社側のサーバ経由で行なうことを特徴とする。
【００１８】
請求項１１記載の発明は、請求項９または１０記載のデータ取得方法において、ネットワークは、インターネットであることを特徴とする。
【００１９】
請求項１２記載の発明は、ＥＴＣ機能を有する移動体無線端末に、サーバとデータの送受信を実行させることを特徴とするプログラムである。
【００２０】
請求項１３記載の発明は、請求項１２記載のプログラムにおいて、移動体無線端末がクレジットカード機能を有し、料金の決済を電話会社側のサーバ経由で行なわせることを特徴とする。
【発明の効果】
【００２１】
本発明のＥＴＣシステム、サーバ、移動体無線端末、データ取得方法およびプログラムによれば、移動体無線端末を流用することにより新たに発生する費用処理の問題を解消し、ＥＴＣシステム導入へのハードルを低くすることができる。
【発明を実施するための最良の形態】
【００２２】
次に、本発明の一実施の形態について図を参照して詳細に説明する。
【００２３】
図１を参照すると、本実施の形態におけるＥＴＣシステムは、ユーザコンピュータ１０と、携帯電話機２０と、道路事業者サーバ３０と、電話会社サーバ４０と、道路ゲート５０と、から構成されている。また、ユーザコンピュータ１０、携帯電話機２０、道路事業者サーバ３０、電話会社サーバ４０および道路ゲート５０は、プログラム制御により動作し、ネットワーク１００を介して相互に接続されている。ネットワーク１００は、任意のネットワークであってよく、例えば、光ファイバ、インターネット、公衆回線、ＬＡＮ（Local Area Network）、ＡＤＳＬ（Asymmetric Digital Subscriber Line）等であってもよい。なお、通信方法は、有線であっても、無線であってもよい。
【００２４】
図２を参照すると、ユーザコンピュータ１０は、ユーザが運用するコンピュータシステムであり、処理装置１０１と携帯電話機接続アプリケーション１０２より構成されている。
【００２５】
処理装置１０１は、道路事業者サーバのＷＥＢサイトにアクセスし、携帯電話既契約者の本システムのサービスメニュー、加入契約および電話会社サーバのＷＥＢサイトにアクセスし、料金明細情報の確認を行なう機能を有している。
【００２６】
携帯電話機接続アプリケーション１０２は、携帯電話機２０へのＥＴＣ機能の設定および更新等を行なう機能を有している。
【００２７】
図３を参照すると、携帯電話機２０は、ＥＴＣ機能（ＩＳＯ１４９０６対応）を備えた情報処理装置であり、携帯電話機能２０１およびＥＴＣ車載機機能２０２から構成されている。
【００２８】
携帯電話機能２０１は、通常の携帯電話機の機能であり、ゲート通過時以外は携帯電話機として利用できる。
【００２９】
ＥＴＣ車載機機能２０２は、ＥＴＣ対応機能（予め自動車に保有している車両情報を、携帯電話機２０経由で料金所に設置された道路ゲートに対して、情報を送信する機能）を有した自動車等の車両に、専用ケーブルを介して携帯電話機２０を接続し、料金徴収に必要な車両情報等を道路ゲート５０との間で送受信する機能を有している。
【００３０】
なお、携帯電話機２０は、移動体無線端末の一例であり、通信機能を備えたＰＤＡ、ノート型パーソナルコンピュータ等の情報処理装置であって、無線通信部、表示部、操作部、音声処理部（マイク、スピーカ）、スピーカ、メモリ、制御部等の既知の構成を備えているものであってもよいのはもちろんである。
【００３１】
図４を参照すると、道路事業者サーバ３０は、本システムの契約申請の受付け、契約完了通知および電話会社サーバ４０へ携帯電話加入契約の確認、利用実績等必要情報の送信、さらには、契約者情報を保管管理を行なう機能を有しているコンピュータシステムであり、処理装置３０１、ＷＥＢサーバ３０２および契約情報データベース３０３から構成されている。
【００３２】
ＷＥＢサーバ３０２は、本システムのサービス内容紹介、契約申請の受付け、問合せ画面から構成されており、本システムの利用顧客とのインタフェース機能を有している。
【００３３】
処理装置３０１は、ＷＥＢサーバ３０２から入力された契約情報の契約情報データベース３０３への登録処理、電話会社サーバ４０へ携帯電話の契約内容の確認および契約完了電子メールの自動発信機能を有している。また、道路ゲート５０から送信される契約者の利用実績を処理する機能を有している。さらに、顧客の契約情報および顧客の利用実績を設定期限に基づき電話会社サーバへ自動送信する機能を有している。
【００３４】
契約情報データベース３０３は、ＷＥＢサーバ３０２の契約画面から入力された契約情報を管理保管する機能を有している。また、道路ゲートから処理装置３０１に送信された契約者の利用実績を管理保管する機能を有している。
【００３５】
図５を参照すると、電話会社サーバ４０は、電話料金および道路事業者サーバ３０から送信されたＥＴＣ利用料金の管理、顧客への請求行為を行なう電話会社側の情報処理装置であり、処理装置４０１および顧客データベース４０２から構成されている。
【００３６】
処理装置４０１は、道路事業者サーバ３０から送信されてくる携帯電話契約確認の処理、契約情報および契約者の利用実績を受信し、顧客データベースに登録する機能を有している。また、１ヶ月ごとの集計を行ない、電話料金と合算し契約者へ請求電子メールを自動発信する機能を有している。
【００３７】
顧客データベース４０２は、処理装置４０１で受け付けた契約情報および契約者の利用実績を管理保管する機能を有している。
【００３８】
図６を参照すると、道路ゲート５０は、契約者の利用を検出するシステムであり、受信機５０１および送信機５０２から構成されている。
【００３９】
受信機５０１は、携帯電話機２０から車両および利用情報等発信情報を受信する機能を有している。
【００４０】
送信機５０２は、携帯電話機２０からの車両および利用情報を正常に受信したことを携帯電話機２０および道路事業者サーバ３０へ通知する機能を有している。
【００４１】
次に、図１１を参照して、本実施の形態における処理動作のフローについて説明する。
【００４２】
まず、ユーザコンピュータ１０はインターネット１００を介して道路事業者サーバ３０のＷＥＢサーバ３０２へアクセスし、サービス内容（対応車種、契約可能携帯電話事業者、契約可能携帯電話機種、契約方法等）を確認する（ステップＡ１）。
【００４３】
次に、ユーザコンピュータ１０は、ＷＥＢサーバ３０２の登録画面から契約条件を確認、承認し、顧客情報（契約者名、住所、電話番号、携帯電話事業者名、携帯電話機種、携帯電話番号、メールアドレス、設定パスワード等）の登録により、本システムの利用契約申請を行なう（ステップＡ２）。
【００４４】
道路事業者サーバ３０は、ユーザコンピュータ１０から入力、送信された顧客情報（契約者名、住所、電話番号、携帯電話事業者名、携帯電話番号、メールアドレス、設定パスワード等）を契約情報データベース３０３に登録すると共に、契約対象の電話会社サーバ４０にアクセスし、携帯電話機２０の契約確認を行なう（ステップＡ３）。
【００４５】
道路事業者サーバ３０は、携帯電話機２０の契約内容に問題がないことを確認後、ユーザコンピュータ１０および電話会社サーバ４０へ本システムの利用契約完了通知を送信する（ステップＡ４）。
【００４６】
ユーザコンピュータ１０は、本システムの利用契約完了通知（および携帯電話ＥＴＣ設定情報）を元に携帯電話機２０へＥＴＣ機能の設定を行なう（ステップＡ５）。
【００４７】
ここで、携帯電話機２０へのＥＴＣ機能設定について、図１２のフローチャートを参照して詳細に説明する。
【００４８】
ユーザコンピュータ１０が、道路事業者サーバ３０から本システムの利用契約完了通知を受信することにより、契約完了となる（ステップＢ１）。
【００４９】
本システムの利用を開始するにあたり、携帯電話機２０の利用認証を受ける必要があり、そのためには、ユーザコンピュータ１０と携帯電話機２０を専用ケーブルで接続（ステップＢ２）し、電話会社サーバ４０の利用認証専用サイトへ接続（ステップＢ３）し、設定パスワードにより認証を受け、携帯電話機２０の本システム機能を有効にする（ステップＢ４）。
【００５０】
次に、ユーザコンピュータ１０から道路事業者サーバ３０にアクセスし、ＥＴＣ車載機の機能をダウンロードし、携帯電話機２０に機能を設定する（ステップＢ５）。
【００５１】
さらに、ユーザコンピュータ１０から携帯電話機２０に、本システム契約時の顧客情報を設定する（ステップＢ６）。
【００５２】
高速道路または、有料道路利用時に携帯電話２０が、自動車から車両情報（料金徴収に必要な情報）を取得し、道路ゲート５０へ顧客情報と共に送信する（ステップＢ７）。
【００５３】
ＥＴＣ車載機能にバージョンアップが発生した際には、ユーザコンピュータ１０が道路事業者サーバ３０にアクセスし、機能をダウンロードし、携帯電話機２０に設定することにより、容易に機能を更新することが可能となる（ステップＢ８）。これで携帯電話機へのＥＴＣ機能設定についての詳細説明を完了する。
【００５４】
図１１に戻り、ユーザが本システムを利用し高速道路または有料道路を利用する場合、予め設置された自動車の専用配線と携帯電話機２０を専用ケーブルで接続し、携帯電話機２０の機能を携帯電話及びＥＴＣ共用モードに設定する（ステップＡ６）。
【００５５】
実際の利用においては、高速道路または有料道路入場時、道路ゲート５０が携帯電話機２０から発信されている本システム利用電波を認識し、顧客情報、利用自動車情報（大型車、普通車、軽自動車、二輪車、車両寸法、車両重量等）を取得すると共に、顧客情報、利用自動車情報および入場ゲート情報（入場箇所）を、道路事業者サーバ３０へ送信する。さらに、高速道路または有料道路退場時、入場時と同様の情報を取得し道路事業者サーバ３０へ送信する（ステップＡ７、Ａ８）。
【００５６】
高速道路および有料道路の利用実績（利用日、コース、料金等）の確認は、ユーザコンピュータ１０または携帯電話機２０から、ＷＥＢサーバ３０２にアクセスする事により可能となる（ステップＡ９）。
【００５７】
道路事業者サーバ３０は、１ヶ月単位で高速道路及び有料道路の利用料金を利用実績データと共に電話会社サーバへ送信し、料金を請求する（ステップＡ１０）。
【００５８】
電話会社サーバ４０は、道路事業者サーバ３０から請求された料金を、電話料金に加算し、ユーザコンピュータ１０（携帯電話機契約者）へ請求する（ステップＡ１１）。
【００５９】
料金支払いは、金融関係およびコンビニからの振り込み、金融機関からの引き落とし等、携帯電話契約者が本システム利用契約申請時に選択できる（ステップＡ１２）。
【００６０】
上記の実施の形態によれば、インターネットを利用することにより２４時間ＥＴＣ利用契約手続きが可能となることおよび利用実績が随時容易に確認可能となる。
【００６１】
また、ＥＴＣ車載機の必要がなくなり、購入費用及び工事費用が不要となる。
【００６２】
また、クレジット会社との契約が不要となる。
【００６３】
また、ＴＣに機能追加が発生した場合、インターネットを経由してダウンロードが可能となり機能向上が容易になる。
【００６４】
なお、上述する実施の形態は、本発明の好適な実施の形態であり、本発明の要旨を逸脱しない範囲内において種々変更実施が可能である。例えば、上記の実施の形態におけるユーザコンピュータ１０、携帯電話機２０、道路事業者サーバ３０、電話会社サーバ４０および道路ゲート５０の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００６５】
上述する実施の形態は、ユーザコンピュータ１０、携帯電話機２０、道路事業者サーバ３０、電話会社サーバ４０および道路ゲート５０が別個に接続されているシステム構成について説明したが、各機能が１つのコンピュータシステムとして実現されている構成や機能毎に複数のサーバ装置等が追加された構成にも適用可能であることはもちろんである。
【図面の簡単な説明】
【００６６】
【図１】本発明の実施形態におけるＥＴＣシステムの概略構成図である。
【図２】本発明の実施形態におけるユーザコンピュータの構成図である。
【図３】本発明の実施形態における携帯電話機の構成図である。
【図４】本発明の実施形態における道路事業者サーバの構成図である。
【図５】本発明の実施形態における電話会社サーバの構成図である。
【図６】本発明の実施形態における道路ゲートの構成図である。
【図７】本発明の実施形態における道路事業者サーバの契約情報データベースの契約者情報データ形式の一例を示す図である。
【図８】本発明の実施形態における道路事業者サーバの契約情報データベースの利用実績データ形式の一例を示す図である。
【図９】本発明の実施形態における電話会社サーバの顧客データベースの契約者情報データ形式の一例を示す図である。
【図１０】本発明の実施形態における電話会社サーバの顧客データベースの利用実績データ形式の一例を示す図である。
【図１１】本発明の実施形態における処理動作を示すシーケンス図である。
【図１２】本発明の実施形態における携帯電話機へのＥＴＣ機能設定の処理動作を示すフローチャートである。
【符号の説明】
【００６７】
２０    携帯電話機
３０    道路事業者サーバ
４０    電話会社サーバ
５０    道路ゲート
１００    ネットワーク
【図１】
2006318088.tif 000003
【図２】
2006318088.tif 000004
【図３】
2006318088.tif 000005
【図４】
2006318088.tif 000006
【図５】
2006318088.tif 000007
【図６】
2006318088.tif 000008
【図７】
2006318088.tif 000009
【図８】
2006318088.tif 000010
【図９】
2006318088.tif 000011
【図１０】
2006318088.tif 000012
【図１１】
2006318088.tif 000013
【図１２】
2006318088.tif 000014